(57)【特許請求の範囲】
【請求項１】
立体画像の画素毎の高さを示す高さ情報に基づいて、画素に対応する液滴を吐出して積層し、前記立体画像の形状を造形するとともに、前記立体画像の画素毎の色を示す色情報に基づいて、前記造形した形状上に画素に対応する液滴を吐出して積層し、前記形状上に色を形成して前記立体画像を造形するように、液滴吐出ヘッドを制御する造形部を備え、
前記造形部は、
前記形状の少なくとも最表面を、前記形状のうち前記最表面以外の形状の少なくとも一部の造形に使用した液滴の吐出量未満の吐出量で吐出した液滴を積層して造形し、
前記色を、前記形状のうち前記最表面以外の形状の少なくとも一部の造形に使用した液滴の吐出量未満、かつ前記最表面の造形に使用した液滴の吐出量以上の吐出量で吐出した液滴を積層して形成する立体造形装置。
【請求項２】
前記造形部は、
前記形状内の所定面よりも外側部分の外側形状を、前記形状内の前記所定面よりも内側部分の内側形状の造形に使用した液滴の吐出量未満の吐出量で吐出した液滴を積層して造形し、
前記色を、前記内側形状の造形に使用した液滴の吐出量未満、かつ前記外側形状の造形に使用した液滴の吐出量以上の吐出量で吐出した液滴を積層して形成する請求項１に記載の立体造形装置。
【請求項３】
前記所定面は、錐体面、１以上の平面を組み合わせた面、１以上の曲面を組み合わせた面、及び１以上の平面と１以上の曲面とを組み合わせた面の少なくともいずれかである請求項２に記載の立体造形装置。
【請求項４】
前記造形部は、
前記最表面を、前記最表面以外の形状の造形に使用した液滴の吐出量未満の吐出量で吐出した液滴を積層して造形し、
前記色を、前記最表面以外の形状の造形に使用した液滴の吐出量未満、かつ前記最表面の造形に使用した液滴の吐出量以上の吐出量で吐出した液滴を積層して形成する請求項１〜３のいずれか１つに記載の立体造形装置。
【請求項５】
前記少なくとも最表面の造形に使用した液滴の解像度は、前記最表面以外の形状の少なくとも一部の造形に使用した液滴の解像度を超え、
前記色の形成に使用した液滴の解像度は、前記最表面以外の形状の少なくとも一部の造形に使用した液滴の解像度を超え、かつ前記少なくとも最表面の造形に使用した液滴の解像度以下である請求項１〜４のいずれか１つに記載の立体造形装置。
【請求項６】
前記少なくとも最表面の造形に使用した液滴を吐出させるための前記液滴吐出ヘッドの吐出周波数は、前記最表面以外の形状の少なくとも一部の造形に使用した液滴を吐出させるための吐出周波数以下であり、
前記色の形成に使用した液滴を吐出させるための前記液滴吐出ヘッドの吐出周波数は、前記最表面以外の形状の少なくとも一部の造形に使用した液滴の吐出周波数以下であり、かつ前記少なくとも最表面の造形に使用した液滴の吐出周波数以上である請求項１〜５のいずれか１つに記載の立体造形装置。
【請求項７】
立体画像の画素毎の高さを示す高さ情報及び前記立体画像の画素毎の色を示す色情報に基づいて、前記立体画像を造形するための層毎の画素の配置を示す層情報を生成する層情報生成部を備え、
前記層が、前記立体画像の形状の最表面を造形するための層である場合、前記層情報は、前記形状のうち前記最表面以外の形状の少なくとも一部の造形に使用した液滴の吐出量未満の吐出量で画素に対応する液滴を吐出して当該層を積層することを示し、
前記層が、前記立体画像の色を形成するための層である場合、前記層情報は、前記形状のうち前記最表面以外の形状の少なくとも一部の造形に使用した液滴の吐出量未満、かつ前記最表面の造形に使用した液滴の吐出量以上の吐出量で画素に対応する液滴を吐出して当該層を積層することを示す情報処理装置。
【請求項８】
記録媒体上に液滴を積層して立体画像を造形した出力物を生産する出力物の生産方法であって、
前記立体画像の画素毎の高さを示す高さ情報に基づいて、画素に対応する液滴を吐出して前記記録媒体上に積層し、前記記録媒体上に前記立体画像の形状を造形するとともに、前記立体画像の画素毎の色を示す色情報に基づいて、前記造形した形状上に画素に対応する液滴を吐出して積層し、前記形状上に色を形成して、前記記録媒体上に前記立体画像を造形する造形ステップを含み、
前記造形ステップは、
液滴を吐出して積層し、前記形状のうち最表面以外の形状の少なくとも一部を造形する第１の形状造形ステップと、
前記形状のうち前記最表面以外の形状の少なくとも一部の造形に使用した液滴の吐出量未満の吐出量で吐出した液滴を積層し、前記最表面を造形する第２の形状造形ステップと、
前記形状のうち前記最表面以外の形状の少なくとも一部の造形に使用した液滴の吐出量未満、かつ前記最表面の造形に使用した液滴の吐出量以上の吐出量で吐出した液滴を積層し、前記色を形成する色形成ステップと、を含む出力物の生産方法。
【請求項９】
記録媒体上に液滴を積層して造形する立体画像の製造方法であって、
前記立体画像の形状の少なくとも最表面を、前記形状のうち前記最表面以外の形状の少なくとも一部の造形に使用された液滴の吐出量未満の吐出量で吐出された液滴を積層し、
前記立体画像の色を、前記形状のうち前記最表面以外の形状の少なくとも一部の造形に使用した液滴の吐出量未満、かつ前記最表面の造形に使用した液滴の吐出量以上の吐出量で吐出された液滴を前記形状上に積層して形成した立体画像の製造方法。
【発明の詳細な説明】
【技術分野】
【０００１】
本発明は、立体造形装置、情報処理装置、出力物の生産方法及び立体画像の製造方法に関する。
【背景技術】
【０００２】
従来から、３次元の立体物を造形する手法として、インクジェット法、溶融物堆積法、ラピッド・プロトタイピイング法、インクジェットバインダ法、光造形法、及び粉末焼結法などが知られている。
【０００３】
例えば特許文献１には、インクジェット法において、第１記録ヘッドを用いて、画像を構成する構成体の形状を表す第１凹凸層を形成し、第２記録ヘッドを用いて、第１凹凸層上に画像を記録し、第３記録ヘッドを用いて、画像上に画像の絵柄の質感を表す第２凹凸層を形成し、第２凹凸層を形成する液滴の径を、第１凹凸層を形成する液滴の径よりも小さくすることが開示されている。
【０００４】
特許文献１に開示された技術によれば、第２凹凸層を形成する液滴の径を、第１凹凸層を形成する液滴の径よりも小さくしているため、第２凹凸層で微細な凹凸を表現でき、画像の絵柄の質感を好適に表現できる。
【発明の概要】
【発明が解決しようとする課題】
【０００５】
しかしながら、上述した特許文献１に開示された技術では、第１凹凸層を形成する液滴の径は、第２凹凸層を形成する液滴の径よりも大きい。このため、第１凹凸層の積層の精度はさほど高くなく、第１凹凸層の表面は、滑らかではなく多少の凹凸を有していることが予想される。
【０００６】
このため上述した特許文献１に開示された技術では、第１凹凸層上に記録された画像は、第１凹凸層の表面に存在する凹凸の影響を受けるため、色再現性が低下することが予想される。
【０００７】
本発明は、上記事情に鑑みてなされたものであり、造形される立体の色再現性を向上させることができる立体造形装置、情報処理装置、出力物の生産方法及び立体画像の製造方法を提供することを目的とする。
【課題を解決するための手段】
【０００８】
上述した課題を解決し、目的を達成するために、本発明の一態様にかかる立体造形装置は、立体画像の画素毎の高さを示す高さ情報に基づいて、画素に対応する液滴を吐出して積層し、前記立体画像の形状を造形するとともに、前記立体画像の画素毎の色を示す色情報に基づいて、前記造形した形状上に画素に対応する液滴を吐出して積層し、前記形状上に色を形成して前記立体画像を造形するように、液滴吐出ヘッドを制御する造形部を備え、前記造形部は、前記形状の少なくとも最表面を、前記形状のうち前記最表面以外の形状の少なくとも一部の造形に使用した液滴の吐出量未満の吐出量で吐出した液滴を積層して造形し、前記色を、前記形状のうち前記最表面以外の形状の少なくとも一部の造形に使用した液滴の吐出量未満、かつ前記最表面の造形に使用した液滴の吐出量以上の吐出量で吐出した液滴を積層して形成する。
【発明の効果】
【０００９】
本発明によれば、造形される立体の色再現性を向上させることができるという効果を奏する。
【図面の簡単な説明】
【００１０】
【図１】図１は、本実施形態のインクジェット記録装置の概略構成の一例を示すブロック図である。
【図２】図２は、本実施形態のコントローラのハードウェア構成の一例を示すブロック図である。
【図３】図３は、本実施形態のヘッドユニットの機械的構成の一例を示す模式図である。
【図４】図４は、本実施形態のインクジェット記録装置の機能構成の一例を示すブロック図である。
【図５】図５は、本実施形態の色情報の一例を示す図である。
【図６】図６は、本実施形態の高さ情報の一例を示す図である。
【図７】図７は、本実施形態の層情報の生成手法の一例を示す説明図である。
【図８】図８は、本実施形態の立体画像の造形手法の一例の説明図である。
【図９】図９は、本実施形態の立体画像の造形手法の一例の説明図である。
【図１０】図１０は、本実施形態の立体画像の造形手法の一例の説明図である。
【図１１】図１１は、本実施形態の立体画像の造形手法の一例の説明図である。
【図１２】図１２は、本実施形態の立体画像の造形手法の一例の説明図である。
【図１３】図１３は、本実施形態の立体画像の造形手法の一例の説明図である。
【図１４】図１４は、本実施形態の立体画像の造形手法の一例の説明図である。
【図１５】図１５は、本実施形態の立体画像の造形手法の一例の説明図である。
【図１６】図１６は、本実施形態の立体画像の造形手法の一例の説明図である。
【図１７】図１７は、本実施形態の立体画像の造形手法の一例の説明図である。
【図１８】図１８は、本実施形態の立体画像の造形手法の一例の説明図である。
【図１９】図１９は、本実施形態の出力物の生産処理の手順の流れの一例を示すフローチャートである。
【図２０】図２０は、図１９に示すフローチャートのステップＳ１１１の造形処理の一例を示すフローチャートである。
【図２１】図２１は、変形例１のヘッドユニットの機械的構成の一例を示す模式図である。
【発明を実施するための形態】
【００１１】
以下、添付図面を参照しながら、本発明にかかる立体造形装置、情報処理装置、出力物の生産方法及び立体画像の製造方法の実施形態を詳細に説明する。以下では、立体造形装置として、記録媒体に対し、造形剤として紫外線硬化インク（活性エネルギー線硬化インク）をピエゾ方式のインクジェットヘッドから吐出することにより、記録媒体上に立体画像を造形（形成）するインクジェット記録装置を例に取り説明するが、これに限定されるものではない。
【００１２】
なお、記録媒体は、立体画像を造形可能であればどのような媒体であってもよく、例えば、記録紙やキャンバスなどが挙げられるが、これらに限定されるものではない。また、造形剤は、紫外線硬化インクに限定されるものでなく、積層完了後に造形剤同士が混ざらずかつ形状安定性が得られる造形剤であればどのようなものであってもよい。また、造形剤は、積層時に液状又はゲル状であってもよい。また、造形剤は、自然又は熱により軟化又は硬化するインクであってもよい。
【００１３】
図１は、本実施形態の立体造形装置１の概略構成の一例を示すブロック図である。図１に示すように、立体造形装置１は、エンジン１０と、コントローラ１００（情報処理装置の一例）と、を備える。
【００１４】
エンジン１０は、記録媒体上に立体画像を造形（形成）するものである。具体的には、エンジン１０が備えるヘッドユニット１５から紫外線硬化インクを吐出して記録媒体上に積層させていくことにより、記録媒体上に立体画像を造形する。
【００１５】
コントローラ１００は、記録媒体上に立体画像を造形（形成）させるための制御を行うものである。具体的には、コントローラ１００は、立体画像を造形するための情報を生成し、生成した情報に基づいてエンジン１０に立体画像を造形させる。
【００１６】
図２は、本実施形態のコントローラ１００のハードウェア構成の一例を示すブロック図である。図２に示すように、コントローラ１００は、ＣＰＵ（Central  Processing  Unit）などの制御装置１０１と、ＲＯＭ（Read  Only  Memory）やＲＡＭ（Random  Access  Memory）などの主記憶装置１０２と、ＨＤＤ（Hard  Disk  Drive）やＳＳＤ（Solid  State  Drive）などの補助記憶装置１０３と、ディスプレイなどの表示装置１０４と、タッチパネルやキースイッチなどの入力装置１０５と、通信インタフェースなどの通信装置１０６と、を備えており、通常のコンピュータを利用したハードウェア構成となっている。
【００１７】
図３は、本実施形態のヘッドユニット１５の機械的構成の一例を示す模式図である。図３に示すように、ヘッドユニット１５は、インクジェットヘッド１４と、紫外線照射装置１３と、を有する。
【００１８】
インクジェットヘッド１４は、記録媒体１６に対し、紫外線硬化インクを吐出するノズル列１１を有する。図３では、ノズル列１１が、ホワイト（Ｗ）の紫外線硬化インクを吐出するノズル１１Ｗ、クリアー（ＣＬ）の紫外線硬化インクを吐出するノズル１１ＣＬ、イエロー（Ｙ）の紫外線硬化インクを吐出するノズル１１Ｙ、マゼンタ（Ｍ）の紫外線硬化インクを吐出するノズル１１Ｍ、シアン（Ｃ）の紫外線硬化インクを吐出するノズル１１Ｃ、及びブラック（Ｋ）の紫外線硬化インクを吐出するノズル１１Ｋで構成されている場合を例示しているが、ノズル列１１の構成は、これに限定されるものではない。例えば、ノズル列１１は、ノズル１１ＣＬを含まなくてもよい。また、ノズル１１Ｗ、ノズル１１ＣＬ、ノズル１１Ｙ、ノズル１１Ｃ、ノズル１１Ｍ、及びノズル１１Ｋの数は、それぞれ１つ以上であれば、いくつであってもよい。
【００１９】
なお、詳細は後述するが、紫外線硬化インクのうち、ホワイト（Ｗ）及びクリアー（ＣＬ）は、立体画像の形状の造形に用いられ、イエロー（Ｙ）、シアン（Ｃ）、マゼンタ（Ｍ）、及びブラック（Ｋ）は、立体画像の色の形成に用いられる。
【００２０】
紫外線照射装置１３は、インクジェットヘッド１４により記録媒体１６上に積層された紫外線硬化インク１２に対し、紫外線である硬化光１３ｂを照射する照射部１３ａを有する。記録媒体１６上に積層された紫外線硬化インク１２は、紫外線照射装置１３から照射される硬化光１３ｂにより、硬化される。
【００２１】
本実施形態では、記録媒体１６が矢印Ｂ方向（副走査方向）で搬送される。そして記録媒体１６が所定位置まで搬送されると、記録媒体１６の搬送が停止され、記録媒体１６に対するインクジェットヘッド１４による紫外線硬化インクの吐出が開始される。
【００２２】
具体的には、ヘッドユニット１５は、矢印Ａ方向（副走査方向）に移動しながら、副走査方向と直交する主走査方向を往復移動し、記録媒体１６（詳細には、記録媒体１６の描画領域）に対し、インクジェットヘッド１４から紫外線硬化インクを吐出させるとともに、紫外線照射装置１３から硬化光１３ｂを照射させる。なお、ヘッドユニット１５は、主走査方向を往復移動する際、片方向の移動時のみインクジェットヘッド１４から紫外線硬化インクを吐出させる片方向印字を行っても、いずれの方向への移動時においてもインクジェットヘッド１４から紫外線硬化インクを吐出させる双方向印字を行ってもよい。
【００２３】
ヘッドユニット１５は、記録媒体１６に対し、１層分の紫外線硬化インクを積層させると、元の位置に移動し、ｎ（ｎ≧２）層分の紫外線硬化インクを積層させるまで、上述した動作を繰り返す。
【００２４】
そして、記録媒体１６に対し、ｎ層分の紫外線硬化インクが積層され、立体画像が造形されると、記録媒体１６の矢印Ｂ方向での搬送が再開され、立体画像が造形された記録媒体１６が立体造形装置１から出力される。
【００２５】
但し、ヘッドユニット１５の吐出動作は、上記方式に限定されるものではない。例えば、ヘッドユニット１５を固定した状態で、記録媒体１６（詳細には、記録媒体１６を固定したテーブルユニット等）を矢印Ｂ方向に搬送しながら、副走査方向と直交する主走査方向を往復移動させ、ヘッドユニット１５は、記録媒体１６に対し、インクジェットヘッド１４から紫外線硬化インクを吐出させるとともに、紫外線照射装置１３から硬化光１３ｂを照射させるようにしてもよい。この場合、記録媒体１６に対し、１層分の紫外線硬化インクが積層されると、記録媒体１６を元の位置に搬送し、ｎ（ｎ≧２）層分の紫外線硬化インクを積層させるまで、上述した動作が繰り返される。
【００２６】
図４は、本実施形態のインクジェット記録装置１の機能構成の一例を示すブロック図である。図４に示すように、立体造形装置１は、画像データ取得部２０１と、色情報生成部２０３と、高さ情報生成部２０５と、層情報生成部２０９と、搬送制御部２１１と、移動制御部２１３と、造形部２１５と、を含む。
【００２７】
画像データ取得部２０１は、例えば、制御装置１０１、主記憶装置１０２、及び通信装置１０６などにより実現できる。色情報生成部２０３、高さ情報生成部２０５、層情報生成部２０９、及び搬送制御部２１１は、例えば、制御装置１０１及び主記憶装置１０２などにより実現できる。移動制御部２１３及び造形部２１５は、例えば、ヘッドユニット１５などにより実現できる。
【００２８】
画像データ取得部２０１は、立体画像の画像データを取得する。立体画像の画像データは、例えば、立体画像で再現される（立体画像のモデルとなる）立体物を撮像した画像データが挙げられる。例えば、立体画像で再現される立体物が絵画であれば、立体画像の画像データは、当該絵画を撮像した画像データが挙げられる。
【００２９】
なお、画像データ取得部２０１は、ＰＣ（Personal  Computer）などの外部装置から立体画像の画像データを取得してもよいし、補助記憶装置１０３などに記憶しておいた立体画像の画像データを取得してもよい。本実施形態では、立体画像の画像データがＲＧＢの画像データである場合を例に取り説明するが、これに限定されるものではない。
【００３０】
色情報生成部２０３は、画像データ取得部２０１により取得された立体画像の画像データに基づいて、立体画像の画素毎の色を示す色情報を生成する。例えば、色情報生成部２０３は、画像データ取得部２０１により取得されたＲＧＢの画像データをＣＭＹＫの画像データに色変換することで、色情報を生成する。なお、ＲＧＢからＣＭＹＫへの色変換（色空間変換）は、公知技術を用いればよい。但し、生成された色情報は、立体画像の造形に使用されるため、立体画像の造形に特有の処理を追加してもよい。
【００３１】
図５は、本実施形態の色情報の一例を示す図である。本実施形態では、図５に示すように、色情報は、１層分の情報を想定している。これは、色を積層する際に色を重ねてしまうと、色の再現性が劣化してしまうためである。従って、複数層分の色情報が生成された場合には、原則、１層目の色情報を使用し、２層目より上位層の色情報は使用しない。つまり、本実施形態では、色情報は、２次元の情報を想定している（但し、図５では、１次元で図示している）。
【００３２】
なお、図５に示す例では、符号Ｙは、画素（以下、「ドット」と称する場合もある）の色がイエローであることを示し、符号Ｃは、画素の色がシアンであることを示し、符号Ｍは、画素の色がマゼンタであることを示し、符号Ｋは、画素の色がブラックであることを示す。以下では、符号Ｙが付された画素と同一模様の画素の色はイエローを示し、符号Ｃが付された画素と同一模様の画素の色はシアンを示し、符号Ｍが付された画素と同一模様の画素の色はマゼンタを示し、符号Ｋが付された画素と同一模様の画素の色はブラックを示すものとする。
【００３３】
高さ情報生成部２０５は、画像データ取得部２０１により取得された立体画像の画像データに基づいて、立体画像の画素毎の高さを示す高さ情報を生成する。なお、高さ情報の生成は、例えば、特開２０１３−２３０６２５号公報などに開示されている２次元の画像データから各画素の高さ（Ｚ座標）を求める公知技術を用いればよい。
【００３４】
図６は、本実施形態の高さ情報の一例を示す図である。本実施形態では、高さ情報は、３次元の情報であり（但し、図６では、２次元で図示している）、多くは、図６に示すように、底辺を基とするピラミッド形状を示す情報である。図６に示す例では、高さ情報を複数層（４層）の情報として示しているが、これは、後述の層情報生成部２０９での説明を簡易化するために便宜的に表したものであり、実際には、高さ情報が何層の情報を示すかは、層情報生成部２０９で定まる。
【００３５】
なお、図６に示す例では、１層目のデータは、１段目に存在する５つのドットを示し、２層目のデータは、２段目に存在する３つのドットを示し、３層目のデータは、３段目に存在する１つのドットを示し、４層目のデータは、１段目〜３段目に存在するドットを被覆するように存在する１４つのドットを示す。
【００３６】
層情報生成部２０９は、高さ情報生成部２０５により生成された高さ情報及び色情報生成部２０３により生成された色情報に基づいて、立体画像を造形するための層毎の画素の配置を示す層情報（スライス情報）を生成する。
【００３７】
図７は、本実施形態の層情報の生成手法の一例を示す説明図である。本実施形態では、層情報生成部２０９は、図７に示すように、高さ情報生成部２０５により生成された高さ情報が示すドット上に、色情報生成部２０３により生成された色情報が示すドットを配置することで、層情報の元となる立体画像情報を生成する。つまり、高さ情報が示すドットは立体画像の形状を示し、色情報が示すドットは、立体画像の形状上に形成される立体画像の色を示す。そして層情報生成部２０９は、立体画像情報を層毎に分離し、必要であれば、同一層も異なる層に分離することで、層毎の画素の配置を示す層情報を生成する。
【００３８】
なお本実施形態では、立体画像の形状の少なくとも最表面を、最表面以外の形状の少なくとも一部の造形に使用する液滴の吐出量未満の吐出量で吐出した液滴を積層して造形し、立体画像の色を、最表面以外の形状の少なくとも一部の造形に使用する液滴の吐出量未満、かつ最表面の造形に使用する液滴の吐出量以上の吐出量で吐出した液滴を積層して形成する。なお本実施形態では、液滴は、紫外線硬化インクのインク滴が該当する。
【００３９】
具体的には、立体画像の形状内の所定面よりも外側部分の外側形状を、当該形状内の所定面よりも内側部分の内側形状の造形に使用する液滴の吐出量未満の吐出量で吐出した液滴を積層して造形し、立体画像の色を、内側形状の造形に使用する液滴の吐出量未満、かつ外側形状の造形に使用する液滴の吐出量以上の吐出量で吐出した液滴を積層して形成する。
【００４０】
なお、所定面は、立体画像の形状内の面であればどのような面であってもよく、例えば、錐体面、１以上の平面を組み合わせた面、１以上の曲面を組み合わせた面、及び１以上の平面と１以上の曲面とを組み合わせた面の少なくともいずれかなどが挙げられる。
【００４１】
また本実施形態では、少なくとも最表面の造形に使用する液滴の解像度は、最表面以外の形状の少なくとも一部の造形に使用する液滴の解像度を超え、色の形成に使用する液滴の解像度は、最表面以外の形状の少なくとも一部の造形に使用する液滴の解像度を超え、かつ少なくとも最表面の造形に使用する液滴の解像度以下とする。
【００４２】
なお本実施形態では、色の形成に使用する液滴の解像度は、最表面以外の形状の少なくとも一部の造形に使用する液滴の解像度のＬ倍（Ｌは１を超える値）であり、色の形成に使用する液滴の径は、最表面以外の形状の少なくとも一部の造形に使用する液滴の径の１／Ｌ倍とする。また本実施形態では、最表面の造形に使用する液滴の解像度は、色の形成に使用する液滴の解像度と同等又は若干大きく、最表面の造形に使用する液滴の径は、色の形成に使用する液滴の径と同等又は若干小さいものとする。なお、色の形成に使用する液滴については、画質低下を招かないよう、通常印字の解像度及び径を担保することが好ましい。
【００４３】
また本実施形態では、少なくとも最表面の造形に使用した液滴を吐出させるための周波数は、最表面以外の形状の少なくとも一部の造形に使用した液滴を吐出させるための周波数以下であり、色の形成に使用した液滴を吐出させるための周波数は、最表面以外の形状の少なくとも一部の造形に使用した液滴を吐出させるための周波数以下であり、かつ少なくとも最表面の造形に使用した液滴を吐出させるための周波数以上とする。
【００４４】
以下では、立体画像の形状の最表面以外の形状の造形を、解像度：３００ｄｐｉ、印字速度：１６８０ｍｍ／ｓｅｃ、及び吐出周波数：２０ｋＨｚという条件で行い、立体画像の形状の最表面の造形、及び立体画像の色の形成を、解像度：６００ｄｐｉ、印字速度：８４０ｍｍ／ｓｅｃ、及び吐出周波数：２０ｋＨｚという条件で行う場合を例に取り説明するが、これに限定されるものではない。
【００４５】
この条件によれば、「立体画像の形状の最表面以外の形状の造形に使用する液滴の吐出量（液滴の径）＞立体画像の形状の最表面の造形に使用する液滴の吐出量（液滴の径）＝立体画像の色の形成に使用する液滴の吐出量（液滴の径）」という関係が成立する。
【００４６】
このため本実施形態では、層情報が示す層の高さは、均一ではなく、立体画像の形状の最表面を構成する層及び立体画像の色を構成する層の高さは、立体画像の形状の最表面以外の形状を構成する層よりも低くなる。具体的には、立体画像の形状の最表面以外の形状を構成する層の高さは、高さ生成Ｄｏｔの解像度（形状解像度）である２５４００／ＨＰと高さ生成Ｄｏｔ径ＨＤにより決定されたＤｏｔを紫外線硬化インクで形成した際の高さ（着弾後Ｄｏｔ高さ）Ｈとなる（図７参照）。また、立体画像の色を構成する層の高さは、色Ｄｏｔの解像度（色解像度）である２５４００／ＣＰと色Ｄｏｔ径ＣＤにより決定されたＤｏｔを紫外線硬化インクで形成した際の高さとなる（図７参照）。なお、立体画像の形状の最表面を構成する層の高さは、立体画像の色を構成する層の高さと同等となるため、説明は省略する。
【００４７】
つまり本実施形態では、層が、立体画像の形状の最表面を造形するための層である場合、層情報は、当該形状のうち最表面以外の形状の少なくとも一部の造形に使用した液滴の吐出量未満の吐出量で画素に対応する液滴を吐出して当該層を積層することを示す。
【００４８】
同様に、層が、立体画像の色を形成するための層である場合、層情報は、立体画像の形状のうち最表面以外の形状の少なくとも一部の造形に使用した液滴の吐出量未満、かつ最表面の造形に使用した液滴の吐出量以上の吐出量で画素に対応する液滴を吐出して当該層を積層することを示す。
【００４９】
搬送制御部２１１は、ヘッドユニット１５により立体画像の造形が行われる記録媒体の搬送を制御する。
【００５０】
移動制御部２１３は、ヘッドユニット１５の移動を制御する。
【００５１】
造形部２１５は、層情報生成部２０９により生成された層毎の層情報に基づいて、記録媒体上に紫外線硬化インクを積層させ、立体画像を造形する。
【００５２】
具体的には、造形部２１５は、立体画像の画素毎の高さを示す高さ情報（詳細には、高さ情報に該当する層情報）に基づいて、画素に対応する液滴を吐出して積層し、立体画像の形状を造形するとともに、立体画像の画素毎の色を示す色情報（詳細には、色情報に該当する層情報）に基づいて、造形した形状上に画素に対応する液滴を吐出して積層し、形状上に色を形成して、立体画像を造形する。
【００５３】
この際、造形部２１５は、立体画像の形状の少なくとも最表面を、当該形状のうち最表面以外の形状の少なくとも一部の造形に使用した液滴の吐出量未満の吐出量で吐出した液滴を積層して造形し、立体画像の色を、当該形状のうち最表面以外の形状の少なくとも一部の造形に使用した液滴の吐出量未満、かつ最表面の造形に使用した液滴の吐出量以上の吐出量で吐出した液滴を積層して形成する。
【００５４】
詳細には、造形部２１５は、立体画像の形状内の所定面よりも外側部分の外側形状を、当該形状内の所定面よりも内側部分の内側形状の造形に使用した液滴の吐出量未満の吐出量で吐出した液滴を積層して造形し、立体画像の色を、内側形状の造形に使用した液滴の吐出量未満、かつ外側形状の造形に使用した液滴の吐出量以上の吐出量で吐出した液滴を積層して形成する。
【００５５】
本実施形態では、造形部２１５は、立体画像の形状の最表面を、最表面以外の形状の造形に使用した液滴の吐出量未満の吐出量で吐出した液滴を積層して造形し、立体画像の色を、最表面以外の形状の造形に使用した液滴の吐出量未満、かつ最表面の造形に使用した液滴の吐出量以上の吐出量で吐出した液滴を積層して形成する。
【００５６】
なお本実施形態では、前述の通り、少なくとも最表面の造形に使用する液滴の解像度は、最表面以外の形状の少なくとも一部の造形に使用する液滴の解像度を超え、色の形成に使用する液滴の解像度は、最表面以外の形状の少なくとも一部の造形に使用する液滴の解像度を超え、かつ少なくとも最表面の造形に使用する液滴の解像度以下とする。
【００５７】
また本実施形態では、前述の通り、少なくとも最表面の造形に使用した液滴を吐出させるための周波数は、最表面以外の形状の少なくとも一部の造形に使用した液滴を吐出させるための周波数以下であり、色の形成に使用した液滴を吐出させるための周波数は、最表面以外の形状の少なくとも一部の造形に使用した液滴を吐出させるための周波数以下であり、かつ少なくとも最表面の造形に使用した液滴を吐出させるための周波数以上とする。
【００５８】
以下では、前述の通り、造形部２１５が、立体画像の形状の最表面以外の形状の造形を、解像度：３００ｄｐｉ、印字速度：１６８０ｍｍ／ｓｅｃ、及び吐出周波数：２０ｋＨｚという条件で行い、立体画像の形状の最表面の造形、及び立体画像の色の形成を、解像度：６００ｄｐｉ、印字速度：８４０ｍｍ／ｓｅｃ、及び吐出周波数：２０ｋＨｚという条件で行う場合を例に取り説明する。
【００５９】
なお、造形部２１５は、立体画像の形状の造形には、色情報が示す色と異なる色の紫外線硬化インクを用いる。本実施形態では、造形部２１５は、立体画像の形状の造形には、ホワイト（Ｗ）の紫外線硬化インクを用いるものとするが、これに限定されるものではなく、クリアー（ＣＬ）の紫外線硬化インクを用いてもよいし、ホワイト（Ｗ）の紫外線硬化インクとクリアー（ＣＬ）の紫外線硬化インクとを混ぜて用いてもよい。
【００６０】
以下、本実施形態の積層手法について具体的に説明する。ここでは、図８に示す立体画像を造形する場合を例に取り説明する。この場合の層情報は、図９及び図１０に示す通りである。なお、図９に示す層情報が、図８に示す立体画像の形状を造形するための層情報であり、図１０に示す層情報が、図８に示す立体画像の色を形成するための層情報である。
【００６１】
図９に示す形状用の層情報は、１層目が、図８に示す立体画像の１段目の形状用のドットを示し、２層目が、図８に示す立体画像の２段目の形状用のドットを示し、３層目が、図８に示す立体画像の３段目の形状用のドットを示し、４層目が、図８に示す立体画像の１段目〜５段目に存在する形状用のドットを被覆するように存在する１８つの最表面の形状用のドットのうち、中央６つのドットを除く、１２つのドットを示し、６層目が、図８に示す立体画像の４段目の形状用のドットを示し、７層目が、図８に示す立体画像の５段目の形状用のドットを示し、８層目が、図８に示す立体画像の１８つの最表面の形状用のドットのうち、中央６つのドットを示す。
【００６２】
図１０に示す色用の層情報は、５層目が、図８に示す立体画像の１８つの最表面の形状用のドットを被覆するように存在する１８つの色用のドットのうち、中央６つのドットを除く、１２つのドットを示し、９層目が、図８に示す立体画像の１８つの色用のドットのうち、中央６つのドットを示す。
【００６３】
最初に、造形部２１５は、図１１に示すように、ホワイト（Ｗ）の紫外線硬化インクのインク滴を吐出して、図９に示す１層目の層情報が示す形状用のドット２４１を記録媒体上に積層する。
【００６４】
次に、造形部２１５は、図１２に示すように、ホワイト（Ｗ）の紫外線硬化インクのインク滴を吐出して、図９に示す２層目の層情報が示す形状用のドット２４２を形状用のドット２４１上に積層する。
【００６５】
次に、造形部２１５は、図１３に示すように、ホワイト（Ｗ）の紫外線硬化インクのインク滴を吐出して、図９に示す３層目の層情報が示す形状用のドット２４３を形状用のドット２４２上に積層する。
【００６６】
次に、造形部２１５は、図１４に示すように、ホワイト（Ｗ）の紫外線硬化インクのインク滴を吐出して、図９に示す４層目の層情報が示す最表面の形状用のドット２４４を形状用のドット２４１〜２４３の錐体部上に積層する。
【００６７】
次に、造形部２１５は、図１５に示すように、イエロー（Ｙ）、シアン（Ｃ）、及びマゼンタ（Ｍ）などの色用の紫外線硬化インクのインク滴を吐出して、図１０に示す５層目の層情報が示す色用のドット２４５を最表面の形状用のドット２４４上に積層する。
【００６８】
次に、造形部２１５は、図１６に示すように、ホワイト（Ｗ）の紫外線硬化インクのインク滴を吐出して、図９に示す６層目の層情報が示す形状用のドット２４６を形状用のドット２４３上に積層する。
【００６９】
次に、造形部２１５は、図１７に示すように、ホワイト（Ｗ）の紫外線硬化インクのインク滴を吐出して、図９に示す７層目の層情報が示す形状用のドット２４７を形状用のドット２４６上に積層する。
【００７０】
次に、造形部２１５は、図１８に示すように、ホワイト（Ｗ）の紫外線硬化インクのインク滴を吐出して、図９に示す８層目の層情報が示す最表面の形状用のドット２４８を形状用のドット２４６〜２４７の錐体部上に積層する。
【００７１】
最後に、造形部２１５は、色用の紫外線硬化インクのインク滴を吐出して、図１０に示す９層目の層情報が示す色用のドットを最表面の形状用のドット２４８上に積層する。これにより、図８に示す立体画像が造形される。
【００７２】
なお、図８〜図１８を用いて説明した積層手法では、立体画像の最表面以外の形状、最表面、及び色を１度に造形するのではなく、２段階に分けて造形している。これは、立体画像の最表面以外の形状を造形した後に、最表面を造形し、色を形成するようにすると、最表面及び色を造形する際のヘッド間ギャップ（インクジェットヘッド１４とインク滴の着弾位置との距離）が大きくなり、着弾精度の低下を招く結果、画質の低下を招いてしまうためである。
【００７３】
このため本実施形態では、ヘッド間ギャップを考慮して、必要であれば、同一層も異なる層に分離することで、層毎の画素の配置を示す層情報が生成されている。
【００７４】
なお、一般的には、ヘッド間ギャップの差異は、０．５ｍｍ以内が望ましいので、限界層数＝０．５Ｈとなる。例えば、Ｈ＝２５μｍであれば、限界層数＝２０層となるため、立体画像の最表面以外の形状を２０層造形する毎に、最表面、及び色を造形するという動作を繰り返すように、層情報を生成しておけばよい。
【００７５】
図１９は、本実施形態の出力物（記録媒体上に液滴を積層して立体画像を造形した出力物）の生産処理の手順の流れの一例を示すフローチャートである。
【００７６】
まず、画像データ取得部２０１は、立体画像の画像データを取得する（ステップＳ１０１）。
【００７７】
続いて、色情報生成部２０３は、画像データ取得部２０１により取得された立体画像の画像データに基づいて、立体画像の画素毎の色を示す色情報を生成する（ステップＳ１０３）。
【００７８】
続いて、高さ情報生成部２０５は、画像データ取得部２０１により取得された立体画像の画像データに基づいて、立体画像の画素毎の高さを示す高さ情報を生成する（ステップＳ１０５）。
【００７９】
続いて、層情報生成部２０９は、色情報生成部２０３により生成された色情報及び補正部２０７により補正された高さ情報に基づいて、立体画像を造形するための層毎の層情報を生成する（ステップＳ１０９）。
【００８０】
続いて、造形部２１５は、層情報生成部２０９により生成された層毎の層情報に基づいて、記録媒体上に紫外線硬化インクを積層させ、補正された立体画像を造形する造形処理を行う（ステップＳ１１１）。
【００８１】
図２０は、図２１に示すフローチャートのステップＳ１１１の造形処理の一例を示すフローチャートである。
【００８２】
まず、造形部２１５は、紫外線硬化インクのインク滴を吐出して、１層目の層情報が示すドットを記録媒体上に積層する（ステップＳ２０１）。
【００８３】
続いて、造形部２１５は、紫外線硬化インクのインク滴を吐出して、２層目の層情報が示すドットを１層目の層情報が示すドット上に積層する（ステップＳ２０３）。
【００８４】
以下、同様の処理が繰り返され、造形部２１５は、紫外線硬化インクのインク滴を吐出して、ｎ−１層目の層情報が示すドットをｎ−２層目の層情報が示すドット上に積層する（ステップＳ２０５）。
【００８５】
最後に、造形部２１５は、紫外線硬化インクのインク滴を吐出して、ｎ層目の層情報が示すドットをｎ−１層目の層情報が示すドット上に積層する（ステップＳ２０７）。
【００８６】
なお、図２０に示す各ステップのうち立体画像の最表面の造形するステップでは、立体画像の最表面以外の形状の造形に使用した液滴の吐出量未満の吐出量で吐出した液滴を積層し、最表面を造形する。
【００８７】
また、図２０に示す各ステップのうち立体画像の色を形成するステップでは、立体画像の最表面以外の形状の造形に使用した液滴の吐出量未満、かつ最表面の造形に使用した液滴の吐出量以上の吐出量で吐出した液滴を積層し、当該色を形成する。
【００８８】
この結果、図２０及び図２１に示すフローチャートに従って生成された出力物は、立体画像の形状の少なくとも最表面が、当該形状のうち最表面以外の形状の少なくとも一部の造形に使用された液滴の吐出量未満の吐出量で吐出された液滴が積層されて造形され、立体画像の色が、当該形状のうち最表面以外の形状の少なくとも一部の造形に使用した液滴の吐出量未満、かつ最表面の造形に使用した液滴の吐出量以上の吐出量で吐出された液滴が形状上に積層されて形成されている。
【００８９】
以上のように本実施形態では、立体画像の形状の少なくとも最表面を形成するドットの径は、最表面以外の形状の少なくとも一部を形成するドットの径未満となり、立体画像の色を形成するドットの径は、最表面以外の形状の少なくとも一部を形成するドットの径未満、かつ最表面を形成するドットの径以上となる。
【００９０】
このため本実施形態によれば、立体画像の形状の最表面を滑らかにできるため、立体画像の形状の最表面の凹凸を抑えることができ、立体画像の形状上に形成される色が受ける凹凸の影響が抑えられるため、色再現性を向上できる。
【００９１】
また本実施形態では、立体画像の形状の最表面以外の形状の少なくとも一部を形成するドットの印字速度を、立体画像の形状の少なくとも最表面を形成するドットや立体画像の色を形成するドットの印字速度よりも早くすることができる。
【００９２】
このため本実施形態によれば、立体画像の色に与える影響が少ない部分の形状については、立体画像の形状の最表面や立体画像の色よりも早い印字速度で印字できるため、色再現性を向上しつつ、生産性を向上できる。特に、立体画像の色に与える影響が少ない部分の形状を片方向印字ではなく双方向印字で行えば、より生産性を向上できる。
【００９３】
なお、吐出周波数が固定の場合、解像度を落とすことで印字速度を速くできるが、立体画像の色に与える影響が少ない部分の形状については、解像度を落としても色に与える影響が少ないため、解像度を落として印字速度を速くするという対応が可能となる。
【００９４】
本実施形態では、立体画像の形状の最表面を形成するドットの径を、最表面以外の形状の少なくとも一部を形成するドットの径未満としたが、立体画像の形状の最表面の下の数下層を形成するドットの径を、最表面を形成するドットの径と同様としてもよい。
【００９５】
このようにすれば、立体画像の形状の最表面をより滑らかにできるため、立体画像の形状の最表面の凹凸をより抑えることができ、立体画像の形状上に形成される色が受ける凹凸の影響がより抑えられるため、色再現性をより向上できる。
【００９６】
なお本実施形態では、生産性も向上させるため解像度を変えているが、解像度が固定であっても、液滴の吐出量を上記のような条件とすれば、色再現性を向上できる。
【００９７】
（変形例１）
上記実施形態では、インクジェット方式について説明したが、変形例１では、溶融物堆積法で行う場合のヘッドユニット１０１５の機械的構成について説明する。
【００９８】
図２１は、変形例１のヘッドユニット１０１５の機械的構成の一例を示す模式図である。図２１に示すように、ヘッドユニット１０１５は、溶融（サーマル）ヘッド１０２０を有する。
【００９９】
溶融ヘッド１０２０は、溶融インク１０２３を有し、溶融インク１０２３を加熱することで、記録媒体１６に対し、溶融インク１０２３を出力する。溶融インク１０２３は、インクジェット方式と同様、ホワイト（Ｗ）、クリアー（ＣＬ）、イエロー（Ｙ）、シアン（Ｃ）、マゼンタ（Ｍ）、及びブラック（Ｋ）の溶融インクで構成される。
【０１００】
（変形例２）
上記実施形態において、高さ情報生成部２０５は、立体画像で再現される立体物を３次元計測することで、高さ情報を生成してもよい。なお、高さ情報生成部２０５は、画像データ取得部２０１により取得された立体画像の画像データと、立体画像で再現される立体物の３次元計測と、を併用して、高さ情報を生成してもよい。
【０１０１】
（変形例３）
上記実施形態において、高さ情報生成部２０５は、立体画像の高さ情報を取得するようにしてもよい。例えば、立体画像で再現される立体物が絵画などである場合、当該絵画を保管する美術館などで高さ情報をデータとして管理している場合がある。このような場合、高さ情報取得部２０５は、立体画像の高さ情報を外部から取得するようにしてもよい。
【０１０２】
（変形例４）
上記実施形態において、造形部２１５は、立体画像の形状の造形に、色情報が示す色と異なる色の紫外線硬化インクを用いる例について説明したが、立体画像の形状のうち色情報が示す色が積層される部分の造形には、色情報が示す色と異なる色の紫外線硬化インクを用い、当該部分以外の造形には、いずれの色の紫外線硬化インクを用いるようにしてもよい。このようにすれば、立体画像の色再現性を向上させつつ、立体画像の造形速度を向上させることができる。
【０１０３】
（プログラム）
上記実施形態及び各変形例の立体造形装置１で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１０４】
また、上記実施形態及び各変形例の立体造形装置１で実行されるプログラムを、インターネット等のネットワークに接続されたコンピュータ上に格納し、ネットワーク経由でダウンロードさせることにより提供するようにしてもよい。また、上記実施形態及び各変形例の立体造形装置１を、インターネット等のネットワーク経由で提供または配布するようにしてもよい。また、上記実施形態及び各変形例の立体造形装置１で実行されるプログラムを、ＲＯＭ等に予め組み込んで提供するようにしてもよい。
【０１０５】
上記実施形態及び各変形例の立体造形装置１で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１０６】
１  立体造形装置
１０  エンジン
１１  ノズル列
１３  紫外線照射装置
１３ａ  照射部
１４  インクジェットヘッド
１５  ヘッドユニット
１００  コントローラ
１０１  制御装置
１０２  主記憶装置
１０３  補助記憶装置
１０４  表示装置
１０５  入力装置
１０６  通信装置
２０１  画像データ取得部
２０３  色情報生成部
２０５  高さ情報生成部
２０９  層情報生成部
２１１  搬送制御部
２１３  移動制御部
２１５  造形部
【先行技術文献】
【特許文献】
【０１０７】
【特許文献１】特許第４５９６７４３号公報
【図１】
0006720530.tif 000002
【図２】
0006720530.tif 000003
【図３】
0006720530.tif 000004
【図４】
0006720530.tif 000005
【図５】
0006720530.tif 000006
【図６】
0006720530.tif 000007
【図７】
0006720530.tif 000008
【図８】
0006720530.tif 000009
【図９】
0006720530.tif 000010
【図１０】
0006720530.tif 000011
【図１１】
0006720530.tif 000012
【図１２】
0006720530.tif 000013
【図１３】
0006720530.tif 000014
【図１４】
0006720530.tif 000015
【図１５】
0006720530.tif 000016
【図１６】
0006720530.tif 000017
【図１７】
0006720530.tif 000018
【図１８】
0006720530.tif 000019
【図１９】
0006720530.tif 000020
【図２０】
0006720530.tif 000021
【図２１】
0006720530.tif 000022